(57)【要約】【課題】本発明は、無人であっても室内を換気することができる室内換気方法及びその装置の改良に関する。【解決手段】  室内に複数設けられた通気口の一方に電動ファンを設け、ソーラーパネルを前記電動ファンに給電可能に接続し、電動ファンを設けた通気口を排気口として、前記室内に排気口につながる空気の流路を形成し、室内を自動的に換気させることを特徴とする。【選択図】図１
2015090234.tif 000002
【特許請求の範囲】
【請求項１】
室内に複数設けられた通気口の内、少なくとも１つの通気口に着脱可能に電動ファンを設け、
ソーラーパネルを前記電動ファンに給電可能に接続し、
前記電動ファンを設けた通気口を排気口として前記室内に前記排気口につながる空気の流路を形成し、室内を換気させることを特徴とする室内換気方法。  
【請求項２】
室内に設けられた通気口の一方に電動ファンを設け、
前記電動ファンを設けた通気口を排気口とし、前記排気口に空気が流通可能な位置に配置された他方の通気口を吸気口として、前記室内を換気させることを特徴とする請求項１に記載の室内換気方法。
【請求項３】
排気口となる通気口が、クーラー装着前のクーラースリーブに電動ファンを着脱可能に固定し通気口を備えたカバーを取付けてなることを特徴とする請求項１又は２に記載の室内換気方法。
【請求項４】
室内に設けられた通気口に着脱可能に取付けられる電動ファンと、
前記電動ファンに給電可能に接続されたソーラーパネルと、
前記電動ファンの駆動で前記通気口を排気口とする空気の流路を形成して、前記室内を換気しうることを特徴とする室内換気装置。
【請求項５】
室内に設けられた通気口の一方の通気口に着脱可能に取付けられる電動ファンと、
前記電動ファンを設けた一方の通気口と空気が流通可能な位置に配置された他方の通気口とを有し、
前記電動ファンの駆動で一方の通気口を排気口とし、他方の通気口を吸気口として、前記室内を換気しうることを特徴とする請求項４に記載の室内換気装置。
【請求項６】
排気口となる通気口が、クーラー装着前のクーラースリーブに電動ファンを着脱可能に固定し通気口を備えたカバーを取付けてなることを特徴とする請求項４又は５に記載の室内換気装置。
【発明の詳細な説明】
【技術分野】
【０００１】
本発明は、無人であっても室内を換気することができる室内換気方法及びその装置の改良に関するものである。
【背景技術】
【０００２】
従来、マンションやアパート等の住宅の換気方法として、居住者がいる場合には、例えば、浴室の排気ファンから室内の空気を吸引し室外に排気して、室内を負圧にし、壁面に設けた換気口から外気を室内に取り込んでいる。
しかし、居住者がいない場合には、管理担当者が窓を開けて換気するなどして、室内が臭ったり、埃が溜まらないようにしたりする必要があった。
そこで、例えば特開昭６１−１９０２２８号の空屋の換気方法では、空屋の窓に換気孔を形成し、該換気孔に強制換気装置を取り付け、太陽電池の出力を利用-して前記強制換気装置の駆動モータを駆動して室内の換気を行う構成が開示されている。
しかし、上記構成では、窓の一部を改造し強制換気装置を固定するので、構造が複雑となるという問題点があった。
【先行技術文献】
【特許文献】
【０００３】
【特許文献１】特開昭６１−１９０２２８号公報
【発明の概要】
【発明が解決しようとする課題】
【０００４】
この発明は、上記事情に鑑みて創案されたもので、その主たる解決課題は、既設の通気口に電動ファンを着脱可能に設けて、密封された室内に空気の流路を形成し、無人の室内の換気を行えるようにし、室内の使用時には元に戻せるようにした室内換気方法及びその装置に関する。
【課題を解決するための手段】
【０００５】
本発明は、上記課題を解決するために、請求項１の室内換気方法の発明では、
室内に複数設けられた通気口の内、少なくとも１つの通気口に電動ファンを着脱可能に設け、
ソーラーパネルを前記電動ファンに給電可能に接続し、
前記電動ファンを設けた通気口を排気口として、前記室内に前記排気口につながる空気の流路を形成し、室内を換気させることを特徴とする。
請求項２の発明では、
室内に設けられた通気口の一方に電動ファンを設け、
前記電動ファンを設けた通気口を排気口とし、前記排気口に空気が流通可能な位置に配置された他方の通気口を吸気口として、前記室内を換気させることを特徴とする。
請求項３の発明では、
前記排気口となる通気口が、クーラー装着前のクーラースリーブに電動ファンを着脱可能に固定し通気口を備えたカバーを取付けてなることを特徴とする。
また、請求項４の室内換気装置の発明では、
室内に設けられた通気口に着脱可能に取付けられる電動ファンと、
前記電動ファンに給電可能に接続されたソーラーパネルと、
前記電動ファンの駆動で前記通気口を排気口とする空気の流路を形成して、前記室内を換気しうることを特徴とする。
また、請求項５の発明では、
室内に設けられた通気口の一方の通気口に着脱可能に取付けられる電動ファンと、
前記電動ファンに給電可能に接続されたソーラーパネルと、
前記電動ファンを設けた一方の通気口と空気が流通可能な位置に配置された他方の通気口とを有し、
前記電動ファンの駆動で一方の通気口を排気口とし、他方の通気口を吸気口として、前記室内を換気しうることを特徴とする。
また、請求項６の発明では、
排気口となる通気口は、クーラー装着前のクーラースリーブに電動ファンを着脱可能に固定し通気口を備えたカバーを取付けてなることを特徴とする。
【発明の効果】
【０００６】
ソーラーパネルの発電により、該ソーラーパネルに接続された一方の通気口内の電動ファンを駆動し、該電動ファンを内蔵した通気口を排気口とし、他方の通気口等を吸気口として、室内に空気の流路（通風路）を作り、室内に滞留する空気を自動的に換気することができる。
この発明では、室内に既設の通気口や、クーラー装着前のクーラースリーブなどの既設管の口内に着脱可能に電動ファンを組み込めばよいので、室内の造作の改造が不要である。
そのため電動ファンも前記既設の口の形状にあわせて小型のものが用いられるが、短時間で強制換気する必要はないので、ファンも小型で低消費電力のもので十分であり、ソーラーパネルも小型のものを用いることができ、簡単且つ廉価に無人の室内の自動換気を行うことができ、室内の維持・管理を簡便に行うことができる。
また、室内に人が居住する場合には、前記電動ファンないしソーラーパネルを取り外せば、本来の通気口やクーラースリーブなどの貫通管として使用することができる。
【図面の簡単な説明】
【０００７】
【図１】実施例１の排気口となる一方の通気口とソーラーパネルとを示す模式図である。
【図２】（ａ）は室内側のカバーに電動ファンをパッキンで固定した状態を示す正面図、（ｂ）は同カバーの背面図である。
【図３】実施例１の室内における通気口の配置を示す平面図である。
【図４】実施例２の排気口となるクーラースリーブとソーラーパネルとを示す模式図である。
【図５】実施例３の室内における通気口の配置を示す平面図である。
【図６】実施例４の室内における通気口の配置を示す平面図である。
【発明を実施するための形態】
【０００８】
室内の通気口の一方にファンを設けて電動ファン付きの排気口とすることで、他方の通気口を吸気口とすることができ、前記電動ファンはソーラーパネルの電力で駆動させるので、簡単な構造で室内の自動換気を実現した。
以下に、この発明の好適実施例について図面を参照しながら説明する。
【実施例１】
【０００９】
図１〜図３は、一例としてマンションやアパート等の室内１０を示す。
ここで、室内とは、部屋に限らず、複数の部屋からなる屋内も含む。
この室内１０には、複数の通気口が設けられており、一方の通気口としての第１通気口１と、他方の通気口としての第２通気口２が設けられている。
【００１０】
この第１、第２通気口１、２は、フード付き換気口や丸形レジスター、換気グリルなどの公知の通気口からなっている。
そして、第１通気口１のガラリ（ルーパー）等の外側開口部１１と、室内側で内側開口部１３を有する通気カバー１４との間において壁を貫通する管路１２の空間１２ａで、前記外側開口部１１と対峙する位置に電動ファン３が嵌合され、隙間をパッキンＰで埋める等して電動ファン３を管路１２内に取り外し可能に固定される。なお、図中１１ａは、開口部１１の一部を覆う保護カバーである。
【００１１】
上記電動ファン３には、ソーラーパネル４が接続される。
ソーラーパネル４は、前記室内１０で、例えばベランダや窓等の日照があたる任意の場所に取付け、電線ケーブルを介して前記電動ファン３と接続し、給電しうるようになっている。
この発明で、ソーラーパネル４は室外に取付けてもよいが、前記ケーブルを室内１０に通す必要があるので、ソーラーパネル４は屋内に取付ける方が手間がかからず好ましい。
【００１２】
上記構成からなっているので、第１通気口１に電動ファン３を内蔵し、ソーラーパネル４の発電で電動ファン３を駆動することができる。
これにより、室内１０は強制排気により負圧となるので、第２通気口２は外から空気を吸気し、第２通気口２を上流とし、第１通気口１を下流として室内１０に空気の流通路を形成することができ、室内１０の換気を無人で自動的に行うことができる。
【実施例２】
【００１３】
図４に示す実施例２では、第１通気口１に替えて、クーラースリーブ５を利用した場合を説明する。
この場合、電動ファン３を前記クーラースリーブ５の空間１２'にパッキンＰを介するなどして固定し、クーラースリーブ５の室内側の開口をカバー１４'によって閉止する。
このカバー１４'は通気口１３'を有しておりクーラースリーブ５に掛止められる。
【００１４】
該カバー１４'は筒部１４'ａを有する場合には、該筒部内にパッキンＰを介すなどして電動ファン３を固定しておけば、カバー１４'をクーラースリーブ５に係合するだけで、電動ファン３を取付けることができる。
クーラースリーブ５の室外側の開口は、開放したままでもよいし、メッシュやガラリ（ルーパー）等のカバーを取付けてもよい（図示せず）。
これによりクーラースリーブ５を利用して排気口となる第１通気口１'を形成することができる。
【００１５】
上記実施例では、クーラースリーブ５の室内側の開口を塞ぐカバー１４'に電動ファン３を取付けた場合を説明したが、室外側の開口を塞ぎカバーの後方に電動ファン３を取付けてもよい。  
このように、この発明では、排気口となる第１通気口は、既存の通気口や、クーラースリーブ５のような通気可能な既設管や貫通口を利用して第１通気口とすることができる。
【００１６】
また、上記実施例１、２において、第２通気口２は、室内１０に１つでも、複数設けられているものでもよい。
そして、第２通気口２は、第１通気口１、１'との間に空気の流路２０を形成可能な位置に配置されている必要がある。
例えば、第１通気口１、１'と第２通気口２とが離れており、途中に、ドアや家具などの障害物によって流路２０が塞がれるような場合には、無人の間は、予め、ドアを開けておいたり、家具などの障害物を移動して空気の流通路を確保しておいてもよい。
【実施例３】
【００１７】
図５に示す実施例３では、排気口となる第１通気口１（又は実施例２の第１通気口１'でもよい）と吸気口となる第２通気口２とが、室内１０の中央部分を挟んで離れた位置に配置された構造を示す。
この場合も、第２通気口２を上流とし、第１通気口１を下流として室内１０に長い空気の流路２０を形成することができるので、より広範囲での室内１０の換気を無人で自動的に行うことができる。
図示例では、第２通気口２は１つの場合を示したが、複数設けられていてもよい。
【実施例４】
【００１８】
図６に示す実施例４では、排気口となる実施例１の第１通気口１（又は実施例２の第１通気口１'でもよい）のみを用いた異なる構造を示す。
この実施例では、他方の吸気口となる第２通気口は設けていない。
その他の構成は前記実施例と同様であるので、説明や図示を省略する。
この場合、室内１０は密閉されておらず、通気口以外の隙間や開口（図示せず）から空気が入り込む。
あるいは、電動ファン３を間欠的に駆動するように設定し、第１通気口１（１’）の排気によって室内１０が負圧になると、電動ファン３の停止時に、第１通気口１（１’）が吸気口となって室内に吸気を行うようにしてもよい。
従って、前記第１通気口１又は１'だけであっても、室内１０の空気を換気することができる。
【００１９】
この発明は、アパートやマンションの室内を例に説明したが、通常の一軒家であってもよい。
その他、この発明は上記実施例に限定されるものではなく、要するにこの発明の要旨を変更しない範囲で種々設計変更しうるものである。
【符号の説明】
【００２０】
１  第１通気口
２  第２通気口
３  電動ファン
４  ソーラーパネル
５  クーラースリーブ
１０  室内
１１  外側開口部
１２  空間
１３  内側開口部
１４  通気カバー
Ｐ  パッキン
【図１】
2015090234.tif 000003
【図２】
2015090234.tif 000004
【図３】
2015090234.tif 000005
【図４】
2015090234.tif 000006
【図５】
2015090234.tif 000007
【図６】
2015090234.tif 000008